(57)【要約】      （修正有）【課題】各種各様の鍋や容器についている多数の異なるフタを、有効にまとめて整理し、且つ効率的に取り出すことができる整理具を提供する。【解決手段】整理具１は、サイズの異なる大から小まで各様あり、又整理具側面９の高さも高いものから低いもの迄複数の整理具１から構成される。多様なフタのサイズや取手の形状に対応できて汎用性が高い。整理具１は取手挿入部２を有し、フタ８の取手を差し込むことで、フタの中央部に整理具１の中央部を固定して置くことが出来、交互にフタ８と整理具１を積み重ねるという極めて簡単な動作で、容易に確実に夫々の重心点を合致させて、崩れることなく積み重ねて、フタを任意の場所にまとめて整理・整頓できる。又フタを取り出す場合は、楽に一瞥でフタを見つけられ、作業の効率を上げることができる。整理具１を使用しない場合、外ケース整理具内に全て収納でき、狭い台所のスペースを有効に使える特徴がある。【選択図】図１
0003143235.tif 000002
【実用新案登録請求の範囲】
【請求項１】
本整理具１は、中空の円形、楕円形、渦方等の平面形で、平たい四方形又は台形の断面形を有することを特徴とする整理具。
【請求項２】
前記整理具１は、整理具のサイズ及び整理具側面９高さの異なる複数の相似形の整理具から構成され、一番大きなサイズの外ケース整理具３より順次サイズを小さくし、外ケース整理具３の中に、他の全ての整理具が収納でき、収納スペースを取らず、簡単に整理具自体を収納できることを特徴とする請求項１記載の整理具。
【請求項３】
前記整理具１は、フタ８の取手を挿入し連結固定できる取手挿入部２を有することを特徴とする整理具。
【考案の詳細な説明】
【技術分野】
【０００１】  この発明は、多様な調理道具の多種多様の複数のフタ８を整理整頓する用具に関する。
【背景技術】
【０００２】  従来の鍋蓋を整理する用具は図８に示す通り、単数のフタと鍋をセットにして吊るして整理するか、図９に示す通り、Ｖ字型受け手に鍋の取手を挟み込む支持具で複数のフタの整理はできない。又、図１０の示す通り、Ｕ字状の支え部にフタを受けるスタンドがあるが、スタンドはそれ自体が場所をとり、且つ複数のフタを収納できない。
【実用新案文献１】
登録実用新案第３０２５７９１号  考案の名称：台所用品整理具
【特許文献２】特許公開２００５−２９６５５８  発明の名称：鍋蓋置き支持具
【特許文献３】特許公開２００２−３３６１４２  発明の名称：鍋蓋置きスタンド
【考案の開示】
【考案が解決しようとする課題】
【０００３】  以上の技術によれば、複数のフタ８を整理整頓し、容易にコンパクトに収納することが出来ない、整理具自体が固定されたり、場所を取る等の欠点がある。
フタ８は夫々サイズが相違し、異なった形の取手がある為、簡単に積み重ねることは困難である。  特に取手が邪魔になり複数のフタ８を上に重ねることが難しく、重ねても重心がずれてすぐ崩れてしまい、上に重ねて収納する方法はコンパクトになるにかかわらず問題が解決されていなかった。  無理して重ねて押し込むと、開いた時にフタ８が崩れて散らばったフタ８を片付けねばならないという余計な作業が増える問題がある。狭いキッチンの収納場所の中で、まとめて収容できない為、比較的広いスペースを占有する問題がある。又、１ケ所にまとめて収容できない為、必要なフタを探す場合、いろいろな場所を探す手間がかかる問題が生じていた。
そこで、この考案は、整理具１をフタ８とフタ８の間に設置し、多種・多様な数枚ものフタを重ねても、崩れず容易に、且つ確実にコンパクトに１ケ所にまとめて収納し、取り出すフタを簡単に見つけられて、簡単に取り出すことが出来る機能を提供することを課題とする。
【課題を解決するための手段】
【０００４】  以上の課題を解決する為に、第一考案は、帯状材又は線材を、平面形に於いて中空の円形、楕円形、渦巻き形で、断面形が四方形又は台形を有する整理具１を形成し、フタ８の中央部に整理具１を置き、その上に別のフタを置く方法を何度か行い複数のフタを重ねて収納するものである。【０００５】又、第二考案は、整理具１は、そのサイズが順次小さくなる複数の相似形から構成され、一番大きいサイズの外ケース整理具３の中に２番目に大きいサイズの整理具１を入れ、次に３番目の大きさのサイズを２番目のサイズの整理具１に入れる方法を繰り返し、利用しない場合は、全ての整理具１が一番大きなサイズの外ケース整理具３の中に収納され、台所の収納スペースを節減できることを特徴とする。又、フタのサイズは大小様々で、大きいサイズの整理具は大きいサイズのフタを、小さいサイズの整理具は小さいサイズのフタを重ねることが出来、フタの様々なサイズに対応できる特徴がある。更に、整理具１の整理具側面９の高さは一定の高さでなく、夫々相違する高さの整理具１から構成され、異なるフタ８の深さや、取手に広く対応することが出来る。
又、第三考案は、整理具１の中心部に、フタ８の取手を挿入できる取手挿入部２を有する。取手挿入部２にフタ８の取手を差し込むように整理具１をフタの上に置けば、整理具１はフタ８の取手に固定されて、且つ確実に整理具１の中心と、フタ８の中心と合致させて置くことが出来る。従って何枚重ねても、整理具１はフタ８の上で移動してずれることがなく、且つ全体の重心がぶれない為、何枚フタを重ねても確実に積み重ねられる効果がある。取手挿入部２は、格別な注意を払わなくとも容易にフタ８の中央部に、整理具１の中央部を合致させて設置できるという誘導効果があり、容易に、確実に積み上げを確実に誘導することを特徴とする整理具１である。
【考案の効果】
【０００６】  第一考案により、何枚ものフタ８を崩れることなく重ねて１ケ所にまとめて整理・収納でき、フタの収納スペースを大幅に削減できると同時に、取り出すフタを見付け易く、取りだし易く効率を高める効果がある。  第二考案によれば、利用しない場合の複数の整理具１が、あたかも木の年輪の如く、一番大きなサイズの外ケース整理具３の中に他の全ての整理具１を収納でき、整理具自体の収納スペースが小さく、片付け易い特徴がある。他方、フタのサイズは大小様々で、大きいサイズの整理具は大きいサイズのフタを、小さいサイズの整理具は小さいサイズのフタを重ねることが出来、フタの様々なサイズに対応できる特徴がある。又整理具側面９の高さは一定の高さでなく、夫々相違する高さの整理具１から構成され、異なるフタの深さや、取手の高さに対して、それに対応できる整理具側面９の高さのある整理具１を選び、重ねることが出来、多種・多様なフタに対応出来る特徴がある。一般にフタ８はなだらかな曲円形の断面形の形状をしており、フタ８の縁に向かって整理具１が移動しやすく重心がぶれて崩れやすいが、第三考案により、フタ８の取手を取手挿入部２に挿入すれば、整理具１が取手に連結固定され、同時に自然と整理具１の中心にフタの中心を合わせることが出来る。格別な注意を必要とせずに、極めて簡単に整理具１をフタ８に連結固定的し、且つ整理具の中心とフタの中心を合致させている為、重心をぶらさずに確実に積み重ねられることが出来る誘導効果がある。必要なフタを積み重ねから取り出す場合、積み重ねたフタを一瞥して識別でき、簡単に必要なフタを見つけて、上のフタを持ち上げるだけで間単に取り出すことができ利用効率が極めて良い特徴がある。
【考案を実施するための最良の形態】
【０００７】  この考案の一実施形態を、図１に示す。
整理具１は、合成樹脂、金属、紙、藁、草木、植物等からなる帯状材又は練材又は一体成型にて、図１に示す通り、フタより直径が略短い、中が空いている円形の平面形を持ち、高さがフタ８の取手の高さ程度ある平たい四方形又は、台形の断面形を有する形状をなし、複数の相似形の整理具１から構成される。
整理具側面９の高さは上記の如く一定の高さでなく、夫々異なった高さの整理具１を形成して構成することができる。  図２は、整理具１を線状の素材から形成し、又は枠状に一体成型した、平たい台形の断面図を持つ軽量の整理具の斜視図を示す。図２で示す通り、上下に輪を有し、上下の輪を棒状の柱で支持する構造で、中央部に取手挿入部２が取手挿入口支持部４を介して整理具１に取り付けられている状態を示す。取手挿入部２は、円形と角が丸い長四辺形を十字に重ねた形状のある枠を形成している。無駄のない枠組み構成の為、軽量で安価に製造できる。  整理具１の側面に任意の柄や色、文字、画像、飾り、等を形成し又は、取り付けて装飾効果を高めることが出来る。【０００８】図３は、整理具１の底辺の中心部に、フタ８の取手を挿入することが出来る取手挿入部２の状態を示す平面図である。  図３で示される通り、取手挿入部２は、フタの取手が図６で示す細長い長方形の平面形を持つ握り型でも、又は図７で示す円形の平面形を持つボタン型でも、両者の取手が容易に挿入できる様に、円と縦長の四方形を夫々の重心点を合わせて重ねた形状の開口を取手挿入口支持部４上に形成し、整理具１と取手挿入口支持部４を介して連結又は一体加工される。線状の素材から整理具を形成する枠型整理具５の場合は、図２で示す通り、取手挿入部２は、円と縦長の四方形を重ねた形状を有する枠が形成される。【０００９】枠状の取手挿入部２及び取手挿入口支持部４は、バネ、合成ゴム、合成樹脂等伸縮性並びに弾力性の高い素材で形成することができる。  取手挿入部２の形状は、上記の形状に限定されず十字型、×字型の切り口や、円形、楕円形、四方形等の形状をなし、多様なフタの取手の平面形に対応できるものである。【００１０】図４は、取手挿入部２にボタン型フタ７の取手が挿入されて連結固定された状態を示す断面図である。取手挿入部２を支持する取手挿入口支持部４の断面形は図４で示す通りフタ８表面の緩やかな曲面に沿って、同じく緩やかな円弧をなし、整理具１の側壁がフタ表面に必ず密着できる構造を示している。図４では、支持取手挿入口支持部４は、整理具側面９の内側の略中間より下に取り付けられている状態を示しているが、支持取手挿入口支持部４を整理具側面９の最下部に取り付け、取手挿入口支持部４の断面形がさらにきつい曲面を持つ形状にすることができる。
整理具１の整理具側面９との取り付け位置を調整し、取手挿入口支持部４の断面形が直線でも整理具の縁がフタ表面に必ず密着することができるものである。
図５は、整理具１が利用されない時の収納形態を示す。図５で示される通り、整理具１は複数の相似形からなる整理具１で構成されており、一番大きいサイズの外ケース整理具３の中に２番目に大きいサイズの整理具１を入れ、次に３番目に大きい整理具１を２番目の整理具の中に収める方法で順次サイズの小さい整理具１を一回り大きいサイズの整理具の中に収め、あたかも木の年輪の如く、外ケース整理具３の中に全ての整理具１をコンパクトに収納できる。【００１１】図６は一般のフタの斜視図を示す。  図６の示す通りフタには、握り手のある取手があり、フタはなだらかな曲線の凸形状の断面を有している。  図７も一般のフタの斜視図を示し、ボタン型の取手がある。
図６及び図７で示す通り、フタ８の取手が出っ張っている為に簡単に、フタ８の上にフタ積み重ねることが困難である。図８は整理具１を利用して、フタ８を重ねて整理した実施図を示す。図８は、整理具１が、取手挿入部２を介してフタの取手の中心部に自然に誘導されて置かれて、次に他のフタ８を上に置き、次に同様に整理具１を置くという順序で、サイズの異なる多様なフタと整理具を交互に積み重ねた状況を示すものである。整理具の整理具側面の高さは、多様なフタの取手の高さに対応すべく、高、中、低の如く高さの相違する整理具からなる整理具から構成することが出来る。  又、多様なフタのサイズに対応すべく、整理具１は、大、中、小の如く直径の相違する整理具を構成することができる。
多様な多数のフタは整然と１ケ所にまとめて積み重ねることができる為、一瞥でフタを識別し、取り出す必要なフタを効率よく見つけることが出来る。  又、取り出す場合は、取り出すフタの上にあるフタ全体を持ち上げて、簡単に取り出すことができ作業の効率を高める特徴がある。【００１２】「実施形態の効果」
この実施形態によれば、複数のフタを崩れることなく極めて容易にまとめて積み重ね整理整頓して収納できる効果がある。従来品は、壁や収納場所に設置された吊り式の整理具が多く利用場所が限定されるが、本考案整理具は、使用場所に制限がなく、好きな場所で利用できるので、場所を選ばない特徴がある。又整理具１に取手挿入部２を有している為に、整理具１は、フタの取手に固定されてフタの上で滑ったりずれたりすることを防止出来、且つ中心部に自動的に置かれる為何枚重ねても重心がぶれず、確実にフタを積み上げてまとめて１ケ所に整理することが出来る効果がある。整理具１の直径及び整理具側面９の高さは各様ある構成からなる為、多様なフタに利用でき、高い汎用性効果がある。利用しない場合の整理具は、図４で示す通り、外ケース整理具３の中に全ての整理具を格納してコンパクトに収納される特徴があり、狭い台所内で収納スペースをとらない特徴がある。【００１３】「他の実施形態」
整理具１の上下の輪状の縁に、柔軟性のある滑り止めを取り付けるか、整理具自体適度の強度と柔軟性のある素材で形成し、素材の柔軟性及び弾力性で以て滑り止め効果を有する整理具を提供し、一層確実に積み重ねをすることができる。又、取手挿入部２並びに取手挿入口支持部４を、弾力性及び伸縮性の富む素材から形成し、フタ表面と取手に密着できるようにして一層確実にフタ８の取手と連結することができる。
【図面の簡単な説明】
【００１４】
【図１】この考案の一実施形態を示す斜視図
【図２】枠型整理具の台形の断面形状の考案を示す斜視図
【図３】取手挿入部の形態を示す整理具の平面図
【図４】取手挿入部２にフタの取手を挿入した断面図
【図５】整理具の収納形態を示す平面図
【図６】一般のフタ斜視図（握手型取手付き）
【図７】一般のフタ斜視図（ボタン型取手付き）
【図８】整理具を利用したフタを重ねて整理した状態の斜視図
【図９】従来の考案；台所用品整理具
【図１０】従来の考案；：鍋蓋置き支持具
【図１１】従来の考案；鍋蓋置きスタンド
【符号の説明】
【００１５】１  整理具            ２  取手挿入部      ３  外ケース整理具
４  取手挿入口支持部  ５．枠型整理具      ６  握り型フタ
７  ボタン型フタ      ８  フタ            ９  整理具側面
【図１】
0003143235.tif 000003
【図２】
0003143235.tif 000004
【図３】
0003143235.tif 000005
【図４】
0003143235.tif 000006
【図５】
0003143235.tif 000007
【図６】
0003143235.tif 000008
【図７】
0003143235.tif 000009
【図８】
0003143235.tif 000010
【図９】
0003143235.tif 000011
【図１０】
0003143235.tif 000012
【図１１】
0003143235.tif 000013
【手続補正書】
【提出日】平成20年4月11日(2008.4.11)
【手続補正１】
【補正対象書類名】実用新案登録請求の範囲
【補正対象項目名】請求項３
【補正方法】変更
【補正の内容】
【請求項３】
前記整理具１は、フタ８の取手を挿入し連結固定できる取手挿入部２を有することを特徴とする請求項１又は請求項２記載の整理具。